(57)【要約】【課題】  居室親機を留守録設定にしなくても、玄関子機側の操作で居室親機が録音録画状態になり、来訪者のメッセージ及び映像を録音録画するインターホンシステムを提供する。【解決手段】  居室親機にメッセージを録音する音声メモリとカメラの撮像映像を録画する録画メモリを設け、玄関子機の呼出釦が長押し（Ｓ２）されたら、居室親機が録音録画状態となるようにした。長押しを検出した居室親機は、メッセージ録音開始の音声案内を玄関子機から報音（Ｓ３）させ、録音録画状態に移行（Ｓ４）してメッセージの録音及び来訪者撮像映像を録画し、所定時間画経過（Ｓ５，Ｓ６）したら録音録画状態を終了（Ｓ７）させた。【選択図】  図２
2007267253.tif 000002
【特許請求の範囲】
【請求項１】
玄関に設置されて居住者を呼び出すための玄関子機と、室内に設置されて前記呼び出しに応答するための居室親機を有し、来訪者を撮像するカメラを前記玄関子機に備えると共に、カメラの撮像映像を出画するモニタを前記居室親機に備えて成るインターホンシステムにおいて、
前記居室親機は、メッセージを録音すると共に前記カメラの撮像映像を録画する親機記憶手段と、前記玄関子機の所定の操作を検知して前記親機記憶手段への録音及び録画を開始する録音録画制御手段を有することを特徴とするインターホンシステム。
【請求項２】
前記録音録画制御手段は、録音録画状態に移行したことを前記玄関子機に通知することを特徴とする請求項１記載のインターホンシステム。
【請求項３】
前記録音録画制御手段は、玄関子機の呼出釦の長押し操作を検知して録音録画を開始することを特徴とする請求項１又は２記載のインターホンシステム。
【請求項４】
前記録音録画制御手段は、前記呼出釦の長押しを検出すると、先ず呼出音を報音させ、後に録画録音状態に移行させることを特徴とする請求項３記載のインターホンシステム。
【請求項５】
前記録音録画制御手段は、録音録画状態が所定時間継続したら録音録画動作を終了させることを特徴とする請求項１乃至４の何れかに記載のインターホンシステム。
【請求項６】
前記録音録画制御手段は、前記呼出釦を押下し続ける間、録音録画状態を維持することを特徴とする請求項１乃至４の何れかに記載のインターホンシステム。    
【請求項７】
前記録音録画制御手段は、前記録画録音状態において居室親機が操作されたら、前記録音録画状態を解除して通話路を形成し、通話状態に移行させる制御を行なうことを特徴とする請求項１乃至６の何れかに記載のインターホンシステム。
【請求項８】
前記居室親機にモニタ付増設親機が接続されている場合、前記録音録画制御手段は、前記増設親機の所定の操作を検出して、前記親機記憶手段に録画された少なくとも映像情報を前記増設親機に送信することを特徴とする請求項１乃至７の何れかに記載のインターホンシステム。
【発明の詳細な説明】
【技術分野】
【０００１】
本発明は、インターホンシステムに関し、詳しくは来訪者からのメッセージを来訪者映像と共に保存する機能を備えたインターホンシステムに関する。
【背景技術】
【０００２】
居住者が不在の時に、来訪者からのメッセージを保存できるようにしたインターホンシステムが普及している。このようなインターホンシステムの中には、来訪者を認識し易いし防犯にも有効であるため、メッセージを録音すると共に、来訪者映像も保存するものがある。例えば、特許文献１のテレビインターホンシステムでは、居室親機を操作して留守録設定にすることで、玄関子機から呼出操作が成された際に、用件入力を促す音声案内が玄関子機から出力されて録音を開始すると共に、玄関子機に内蔵されたカメラが作動して録画も開始するよう構成されている。来訪者はこの音声案内に応じてメッセージを入力すりことでメッセージの保存ができ、同時にカメラが撮像した来訪者映像（画像）も録画される。
【０００３】
【特許文献１】特開２００２−２２３４３６号公報（段落番号００４３〜００４５）
【発明の開示】
【発明が解決しようとする課題】
【０００４】
しかしながら、従来のインターホンシステムでは、上述したように留守録ができるシステムであっても、居室親機を留守録状態に設定しなければ録音録画を行なわないので、設定し忘れた場合は来訪者がメッセージを残したくても残せなかった。
【０００５】
そこで、本発明はこのような問題点に鑑み、居室親機を留守録設定にしなくても、玄関子機側の操作で居室親機が録音録画状態になり、来訪者のメッセージ及び映像を録音録画するインターホンシステムを提供することを目的とする。
【課題を解決するための手段】
【０００６】
上記課題を解決する為に、請求項１の発明は、玄関に設置されて居住者を呼び出すための玄関子機と、室内に設置されて呼び出しに応答するための居室親機を有し、来訪者を撮像するカメラを玄関子機に備えると共に、カメラの撮像映像を出画するモニタを居室親機に備えて成るインターホンシステムにおいて、居室親機は、メッセージを録音すると共にカメラの撮像映像を録画する親機記憶手段と、玄関子機の所定の操作を検知して親機記憶手段への録音及び録画を開始する録音録画制御手段を有することを特徴とする。
この構成により、玄関子機側の操作で、居室親機に録音録画することが可能となり、居住者が留守設定にしなくても、来訪者のメッセージ及び来訪者映像を残すことができる。
【０００７】
請求項２の発明は、請求項１に記載の発明において、録音録画制御手段は、録音録画状態に移行したことを玄関子機に通知することを特徴とする。
この構成により、来訪者は居室親機が録音録画状態に移行したことを認識でき、安心して録音録画することができる。
【０００８】
請求項３の発明は、請求項１又は２に記載の発明において、録音録画制御手段は、玄関子機の呼出釦の長押し操作を検知して録音録画を開始することを特徴とする。
この構成により、別途操作釦を設ける事無く、録音録画操作することができる。
【０００９】
請求項４の発明は、請求項３に記載の発明において、録音録画制御手段は、呼出釦の長押しを検出すると、先ず呼出音を報音させ、後に録画録音状態に移行させることを特徴とする。
この構成により、来訪者が呼出操作すること無く最初から長押し操作しても、居住者が居る場合は来訪者に気づくことができるし、来訪者は呼出音により録音録画状態になったことを認識できる。
【００１０】
請求項５の発明は、請求項１乃至４の何れかに記載の発明において、録音録画制御手段は、録音録画状態が所定時間継続したら録音録画動作を終了させることを特徴とする。
この構成により、所定時間だけ録音録画状態となるため、親機記憶手段を無駄に使用することがない。
【００１１】
請求項６の発明は、請求項１乃至４の何れかに記載の発明に置いて、録音録画制御手段は、呼出釦を押下し続ける間、録音録画状態を維持することを特徴とする。    
この構成により、メッセージが途中で切れるような事がないし、短いメッセージの場合はメモリ使用量も僅かで済み、親機記憶手段を有効に使用できる。
【００１２】
請求項７の発明は、請求項１乃至６の何れかに記載の発明において、録音録画制御手段は、録画録音状態において居室親機が操作されたら、録音録画状態を解除して通話路を形成し、通話状態に移行させる制御を行なうことを特徴とする。
この構成により、録音録画状態であっても、特別な操作をする事無くそれを解除して通話状態に移行できるので、来訪者の呼び出しに対して居住者の応答が遅れても、居住者は安心して応答操作に入ることができる。
【００１３】
請求項８の発明は、請求項１乃至７の何れかに記載の発明において、居室親機にモニタ付増設親機が接続されている場合、録音録画制御手段は、増設親機の所定の操作を検出して、親機記憶手段に録画された少なくとも映像情報を増設親機に送信することを特徴とする。
この構成により、増設親機でも録画映像を見ることができ、便利である。
【発明の効果】
【００１４】
本発明によれば、玄関子機側の操作で、居室親機に録音録画することが可能となり、居住者が留守設定にしなくても、来訪者のメッセージ及び来訪者映像を残すことができる。
【発明を実施するための最良の形態】
【００１５】
以下、本発明を具体化した実施の形態を、図面に基づいて詳細に説明する。
図１は本発明に係るインターホンシステムの一例を示すブロック図であり、１は玄関に設置されて居住者を呼び出すための玄関子機、２は室内に設置されて玄関子機１からの呼び出しに応答するための居室親機、３は同様に玄関子機１からの呼び出しに応答するための増設親機である。玄関子機１と居室親機２、居室親機２と増設親機３は夫々伝送路Ｌ１，Ｌ２で接続されている。
【００１６】
玄関子機１は、来訪者を撮像するためのカメラ６、撮像された映像信号を変調する変調回路７、伝送路Ｌ１を介して居室親機２に接続するための子機ＩＦ（インターフェイス）回路８、居住者を呼び出すための呼出釦９、呼び出しを検出する呼出検出回路１０、マイク１１及びスピーカ１２により通話を実施するための子機通話回路１３を備えている。
【００１７】
居室親機２は、玄関子機１を接続するための親機ＩＦ（インターフェイス）回路１６、映像信号を復調する復調回路１７、カメラ６の撮像映像を出画するモニタ１８、復調された映像信号を録画するためにＡ／Ｄ変換したり、録画した映像を出画するためにＤ／Ａ変換するＡ／Ｄ・Ｄ／Ａ変換回路１９、デジタル信号に変換された映像信号を保存する映像メモリ（親機記憶手段）２０、この映像メモリ２０に保存されているデータを取り出す際に変調する変調回路２１、カメラ６の撮像映像を録画する際に押下する録画釦２２、録画保存された映像を閲覧する際に押下する再生釦２３、居室親機２を制御する親機ＣＰＵ２４（録音録画制御手段）、マイク２５及びスピーカ２６により玄関子機１と通話をする為の親機通話回路２７、音声を録音する音声メモリ（親機記憶手段）２８を備えている。
【００１８】
そして増設親機３は、居室親機２と伝送路Ｌ２により接続するための増親ＩＦ（インターフェース）回路３１、受信された映像信号を復調する復調回路３２、映像を出画するモニタ３３、映像を録画操作する録画釦３４、保存映像を閲覧するための再生釦３５、増設親機３を制御する増親ＣＰＵ３６、マイク３７及びスピーカ３８により玄関子機１と通話をする為の増親通話回路３９を備えている。
【００１９】
このように構成されたインターホンシステムは次のように動作する。最初に玄関子機１からの呼び出し、及びその応答動作を説明する。
来訪者により玄関子機１の呼出釦９が押下されると、呼出検出回路１０が検出し、子機ＩＦ回路８、伝送路Ｌ１を経由して居室親機２に呼出信号が伝送される。居室親機２では、親機ＩＦ回路１６を経由して、親機ＣＰＵ２４が呼出信号を受信すると、親機通話回路２７で生成された呼出音がスピーカ２６から報音される。同時にカメラ６が撮像を開始して撮像映像信号が出力される。この映像信号は、変調回路７により変調され、子機ＩＦ回路８を経て伝送路Ｌ１へ送られる。居室親機２は、親機ＩＦ回路１６を経由して映像信号を受信し、復調回路１７で復調した後、モニタ１８にて映像を出画する。
【００２０】
そして、居室親機２の図示しない通話ボタンを押下すれば通話路が形成され、居室親機のマイク２５に入った居住者の音声信号は、親機通話回路２７、親機ＩＦ回路１６、伝送路Ｌ１、子機ＩＦ回路８、子機通話回路１３を経由して、スピーカ１２から音声として出力される。一方、玄関子機１のマイク１１に入った音声信号は、子機通話回路１３、子機ＩＦ回路８、伝送路Ｌ１、親機ＩＦ回路１６、親機通話回路２７を経由して、スピーカ２６から音声として出力される。こうして、玄関子機１と居室親機２の間で通話が実施される。
【００２１】
玄関子機１と増設親機３とで通話を行なう場合は、増設親機３において上記居室親機２の動作と同様の操作を行うことで通話が可能となる。尚、玄関子機１と増設親機３の間は、子機ＩＦ回路８、伝送路Ｌ１、親機ＩＦ回路１６、伝送路Ｌ２、増親ＩＦ回路３１を経由して信号の送受信が行われる。
【００２２】
次に、来訪者音声（メッセージ）の録音及びそのときの来訪者映像の録画（録音録画操作）について説明する。この録音録画操作は玄関子機１側の操作により実施される場合と、居室親機２側の操作で実施される２通りがあり、先ず玄関子機１の操作により実施される場合を図２のフローチャートを基に説明する。
玄関子機１の呼出釦９が押下される（Ｓ１）と、上述したように呼出検出回路１０が検出し、子機ＩＦ回路８、伝送路Ｌ１、親機ＩＦ回路１６を経由して、親機ＣＰＵ２４に伝送され、居室親機２の親機通話回路２７で生成された呼出音がスピーカ２６で報知される。応答がない場合は、次に呼出釦９の長押しが実施される。長押しの間、呼出検出回路１０が呼び出し操作を検出し続けて、親機ＣＰＵ２４に伝送する。親機ＣＰＵ２４は、呼出音をスピーカ２６から報音させると共に、呼出信号を所定時間、例えば２秒検出（Ｓ２）すると、映像メモリ２０と音声メモリ２８を録音録画状態に移行する制御を開始する。
【００２３】
親機ＣＰＵ２４は、呼出音を所定時間検出し続けたら、親機通話回路２７を操作して、例えば「録音を始めます。メッセージをお願いします。」というような音声案内からなる録音開始案内音を音声メモリ２８から取り出して玄関子機１に送信させる。こうして、子機スピーカ１２から音声案内を報音させ（Ｓ３）、録音録画状態に移行する（Ｓ４）。尚、この音声案内は、音声メモリ２８等に予め録音されている。
【００２４】
この録音録画状態になると、カメラ６で撮像された映像信号は、変調回路７で変調され、子機ＩＦ回路８、伝送路Ｌ１、親機ＩＦ回路１６を経由して復調回路１７で復調される。その後、Ａ／Ｄ・Ｄ／Ａ変換回路１９でアナログ信号がデジタル信号に変換されて、映像メモリ２０に保存される。そして、マイク１１から入力された来訪者音声は、子機通話回路１３、子機ＩＦ回路８、伝送路Ｌ１、親機ＩＦ回路１６、親機通話回路２７を経由して、音声メモリ２８に保存される。この録音録画状態は、親機ＣＰＵ２４が予め設定された時間継続され（Ｓ５，Ｓ６）、所定時間が経過したら録音録画動作を終了する（Ｓ７）。
尚、録音録画状態中に居室親機２が通話操作等の操作を受けたら、親機ＣＰＵ２４は録音録画状態を解除して通話状態に移行させ、通話を優先させる制御を行う。
【００２５】
このように、玄関子機側の操作で、居室親機に録音録画することが可能となり、居住者が留守設定にしなくても、来訪者のメッセージ及び来訪者映像を残すことができる。
また、来訪者は、居室親機が録音録画状態に移行したことを音声案内により認識できるので、安心してメッセージ録音に入ることができるし、呼出釦を操作して録音録画状態に移行するので、別途操作釦を設ける事無く、録音録画操作することができる。
更に、長押し操作の場合も呼出音が報音されるので、居住者が居る場合は来訪者に気づくことができるし、来訪者は呼出音により録音録画状態になったことを認識できる。
また、録音録画状態であっても、容易に通話状態に移行でき、呼び出しに対する応答が遅れても居住者は安心して応答操作に入ることができるし、所定時間経過すると録音録画状態が解除されるので、親機記憶手段を無駄に使用することがない。
【００２６】
尚、ここでは、呼出釦９の長押し操作により、メッセージを残すことができることを来訪者が認識していることを前提にしているが、例えば呼出釦９が２回押されたら、それを親機ＣＰＵ２４に検知させて、「呼出釦の長押しにより、メッセージを残す事ができます。」と、音声案内を実施してもよいし、呼出釦が押されてから所定時間経過後、自動的に呼出釦の長押しを促すガイダンスを実施してメッセージの保存が可能であることを来訪者に通知するようにしても良い。
また、録音録画状態への移行は、呼出釦の長押しに限定するものではなく、別途専用の釦を設けても良い。この場合、ワンタッチ操作で良く、長押しのような面倒な操作が必要無くなる。また、居室親機による留守設定時にのみこのような操作を可能としても良く、引き続き留守にしていることが来訪者には分かり難い状態を維持することができる。
【００２７】
更に、録音録画時間の設定は、所定時間に固定しなくとも良く、呼出釦を押下し続けている状態だけ録音録画動作を続けるように設定しても良い。この場合、「呼出釦を押している間、メッセージを残すことができます。」等の音声案内を行うようにすれば良い。こうすることで、メッセージが途中で切れるような事がないし、短いメッセージの場合はメモリ使用量も僅かで済み、親機記憶手段を有効に使用できる。
【００２８】
次に、居室親機２の操作により録音録画する場合を次に説明する。録画釦２２を押下操作することで録音録画を行なうことができる。録画釦２２が押下されると、親機ＣＰＵ２４は映像メモリ２０を録画待ち状態に、音声メモリ２８を録音待ち状態に移行させ、呼出釦９の呼出操作を受けて自動で録音録画状態に移行する制御を実施する。
具体的に、この状態で玄関子機１の呼出釦９が押されると、カメラ６が撮像を開始し、上述するように居室親機２に映像信号を伝送する。呼出信号を受けた親機ＣＰＵ２４は、録音録画状態に移行させて、伝送された映像信号を、Ａ／Ｄ・Ｄ／Ａ変換回路１９でアナログ信号からデジタル信号に変換して、映像メモリ２０に保存させる。そして、マイク１１に入った音声信号を音声メモリ２８に保存操作し、所定期間が経過したら録音録画状態を終了する。こうして、玄関子機１を操作することなく、録音録画することができる。
【００２９】
また、増設親機３の録画釦３４を操作しても、居室親機２で録音録画が可能となっている。録画釦３４が押下された事を増親ＣＰＵ３６が認識したら、増親ＩＦ回路３１、伝送路Ｌ２、親機ＩＦ回路１６を経由して親機ＣＰＵ２４に録画信号が送られ、居室親機２の映像メモリ２０と音声メモリ２８が録音録画状態になる。この後の動作は上記に述べた動作と同様の処理が行なわれるため省略する。
【００３０】
この保存された映像の閲覧は以下のように行われる。親機ＣＰＵ２４が再生釦２３の押下を認識すると、映像メモリ２０と音声メモリ２８を再生状態にする。映像メモリ２０が再生状態になると、映像メモリ２０に保存されている映像信号は、Ａ／Ｄ・Ｄ／Ａ変換回路１９でデジタル信号がアナログ信号に変換され、モニタ１８にて映像を再生する。音声メモリ２８に保存されている音声信号は、親機通話回路２７に送られ、スピーカ２６で音声が再生される。
【００３１】
一方、増設親機３でも再生釦３５により再生を行なうことができる。再生釦３５が押下されたら増親ＣＰＵ３６がそれを認識し、増親ＩＦ回路３１、伝送路Ｌ２、親機ＩＦ回路１６を経由して親機ＣＰＵ２４に再生信号が送られ、親機ＣＰＵ２４は居室親機２の映像メモリ２０と音声メモリ２８を再生状態とする。
【００３２】
再生状態になると、映像メモリ２０に保存されている映像信号は、Ａ／Ｄ・Ｄ／Ａ変換回路１９でデジタル信号がアナログ信号に変換され、変調回路２１にて変調される。その後、親機ＩＦ回路１６、伝送路Ｌ２、増親ＩＦ回路３１の経路を経由して、増設親機３のモニタ３３で再生される。また、音声メモリ２８に保存されている音声信号は、親機通話回路２７、親機ＩＦ回路１６、伝送路Ｌ２、増親ＩＦ回路３１、増親通話回路３９に送られ、スピーカ３８で音声が再生される。このように、増設親機でも録画映像を見ることができ便利である。
【００３３】
尚、上記実施形態は、メッセージの録音共に映像の録画について説明したが、メッセージの録音に合わせて動画ではなく静止画を録画する構成であっても同様に実施でき、この場合は映像メモリの容量を小さくできる。
【図面の簡単な説明】
【００３４】
【図１】本発明に係るインターホンシステムの実施形態の一例を示す回路ブロック図である。
【図２】玄関子機からの録音録画操作の流れを示すフローチャートである。
【符号の説明】
【００３５】
１・・玄関子機、２・・居室親機、６・・カメラ、９・・呼出釦、１８・・モニタ、２０・・映像メモリ（親機記憶手段）、２４・・親機ＣＰＵ（録音録画制御手段）、２８・・音声メモリ（親機記憶手段）、３３・・モニタ、３８・・増親ＣＰＵ。
【図１】
2007267253.tif 000003
【図２】
2007267253.tif 000004